(57)【要約】  【課題】      固定機器の回りを移動機器が移動することにより、固定機器のメンテナンス情報を移動機器にてリアルタイムに表示させる。また、固定機器内部で取得した画像も移動機器にてリアルタイムに表示させる。  【解決手段】  移動機器をマスタとし、固定機器をスレーブとし、マスタとスレーブとをブルートゥースにて接続した双方向通信システムにおいて、固定機器１０は、故障が生じた際に故障情報を移動機器２０に出力する通知部１１を備え、移動機器２０は、通知部１１から出力された故障情報を受信して表示する表示部２１を備えて双方向通信システム１００を構成する。【選択図】        図１
2009212548.tif 000002
【特許請求の範囲】
【請求項１】
移動機器をマスタとし、固定機器をスレーブとし、マスタとスレーブとをブルートゥースにて接続した双方向通信システムにおいて、
上記固定機器は、故障が生じた際に故障情報を上記移動機器に出力する通知部を備え、
上記移動機器は、上記通知部から出力された故障情報を受信して表示する表示部を備えることを特徴とする双方向通信システム。
【請求項２】
上記固定機器は、上記移動機器の指令に応じて画像取得を行う画像取得部と、取得した画像を上記移動機器に送信する送信部とを備え、
上記移動機器は、上記画像取得部へ画像取得指令を送信する指令部と、当該指令に応じて上記固定機器から送信された画像情報を受信する画像処理部とを
備えることを特徴とする請求項１記載の双方向通信システム。
【請求項３】
上記移動機器は、体に装着可能な機器とし、
上記固定機器は、画像形成媒体に画像形成を行なう画像形成機器からなることを特徴とする請求項２記載の双方向通信システム。
【請求項４】
上記画像取得部は、画像形成媒体の搬送路に配置することを特徴とする請求項３記載の双方向通信システム。
【発明の詳細な説明】
【技術分野】
【０００１】
本発明は、所定の領域内において双方向通信を行う双方向通信システムに関し、詳しくは、移動機器をマスタとし、固定機器をスレーブとしてブルートゥースにて接続した双方向通信システムに関する。
【背景技術】
【０００２】
近年、移動機器の無線通信機能を用いた種々の装置等の固定機器の無線制御方法が種々挙げられている。この移動機器を用いる無線制御環境では、移動機器は移動しながら通信領域内の固定機器と無線通信を行い、種々の情報交信を行なう。
特許文献１には、機器のメンテナンスに関する情報が携帯端末を介してサービスセンタへ送信され、その解析結果が携帯端末の画面に表示されることにより、設備機器のメンテナンスの必要性を迅速に知ることができる技術が開示されている。
しかし、この技術によれば、一旦メンテナンス情報をサービスセンタに送信してから、メンテナンスの要不要を知ることになり、情報収集のリアルタイム性に欠けるといった問題があった。また、ネットに異常が生じている場合には求める情報を得られないといった問題もある。
【０００３】
【特許文献１】特開２００２−２４４３２号公報
【発明の開示】
【発明が解決しようとする課題】
【０００４】
本発明は以上のような諸問題にかんがみなされたもので、固定機器の回りを移動機器が移動することにより、固定機器の故障情報を移動機器にてリアルタイムに取得及び表示できるようにすることを課題とする。
【０００５】
また、本発明は、故障情報だけでなく必要に応じて、故障箇所の画像を固定機器内部で取得して移動機器にてリアルタイムに取得及び表示できるようにすることを課題とする。
【課題を解決するための手段】
【０００６】
すなわち、本発明の双方向通信システムは、移動機器をマスタとし、固定機器をスレーブとし、マスタとスレーブとをブルートゥースにて接続した双方向通信システムにおいて、固定機器は、故障が生じた際に故障情報を移動機器に出力する通知部を備え、移動機器は、通知部から出力された故障情報を受信して表示する表示部を備える。
移動機器は、固定機器に近接することにより、移動機器と固定機器との間で通信リンクが確立し、ブルートゥースプロトコルによる交信が行なわれる。その交信において、固定機器に故障が生じている場合には故障情報も移動機器へ伝えられる。この故障情報は、リアルタイムで表示部に表示される。
【０００７】
また、本発明の双方向通信システムは、固定機器が移動機器の指令に応じて画像取得を行う画像取得部と、取得した画像を移動機器に送信する送信部とを備え、移動機器は、画像取得部へ画像取得指令を送信する指令部と、指令に応じて固定機器から送信された画像情報を受信する画像処理部とを備える。
固定機器の内部には画像取得部を設けており、固定機器と移動機器の通信リンクが確立すると、画像取得指令に応じて画像が取得される。取得された画像は、移動機器に送られ表示部にて表示される。
【０００８】
また、本発明の双方向通信システムにおいて、移動機器は、体に装着可能な機器とし、固定機器は、画像形成媒体に画像形成を行なう画像形成機器からなる。
移動機器は、体に装着できるので、観測者と一体化して移動可能になる。所望の位置への移動が容易に行なわれる。メンテナンス処理を多く要する画像形成機器に対する故障情報を有効に取得する。
【０００９】
また、本発明の双方向通信システムにおいて、画像取得部は、画像形成媒体の搬送路に配置する。
故障頻度の多い画像形成媒体のジャム等の故障を、画像により表示可能になる。故障情報だけでは判別し難い故障情報を、リアルタイムの画像情報を用いて確認することができる。
【発明の効果】
【００１０】
以上のように本発明によれば、固定機器の回りを移動機器が移動することにより、固定機器の故障情報を移動機器にてリアルタイムに取得及び表示できる。
また、本発明によれば、固定機器内部で取得した画像が移動機器にてリアルタイムに表示できる。故障情報に関して画像情報も付加することができるので、故障状況の認識が容易になる。
【発明を実施するための最良の形態】
【００１１】
つぎに本発明の実施の形態による双方向通信システムを図１乃至図４にもとづき説明する。
【００１２】
図１は、本発明の双方向通信システム１００のブロック構成図の一例を示す。
双方向通信システム１００は、固定機器１０と移動機器２０とがブルートゥースプロトコルにより接続されて構成される。
ここで説明する固定機器１０はラベルプリンタであり（図５参照）、故障情報抽出機能を有する。
【００１３】
固定機器１０は、自らに故障が生じた際に故障情報を移動機器２０に出力可能な通知部１１と、搬送径路を監視するカメラ１２と、カメラ画像を取得する画像取得部１３と、取得した画像を移動機器２０に送信する送信部１４とを備えている。通知部１１はメモリを有し、故障情報の履歴を蓄積している。故障情報には、機器識別情報、故障発生日時、エラーコード、画像取得情報を含む。画像取得情報は、障害に応じて画像の取得が可能である旨を示す情報である。例えば、搬送径路でジャムが生じた場合に、その障害箇所に近いカメラにより画像情報を取得可能にする情報が画像取得情報である。
【００１４】
また、ここで説明する移動機器２０は腕時計型携帯機器であり、通知部１１から出力された故障情報を受信して表示する表示部２１を有する。
また、移動機器２０は、画像取得部１３へ画像取得指令を送信する指令部２２と、指令に応じて固定機器１０から送信された画像情報を受信する画像処理部２３とを備えている。
故障情報に、画像取得情報がある場合には、画像情報取得指令が作成されて、画像情報が取得され表示部に表示される。
【００１５】
実施例においては、以下のブルートゥースプロトコルに基づいて双方向通信が行われる。
図２に示すように、移動機器２０が固定機器１０の通信リンク可能領域に入ると、通信リンクが確立する。
通信リンクが確立すると、図３に示すフローに基づいて双方向通信が行われる。
先ず、通信リンクが確立すると固定機器１０の故障履歴情報が移動機器２０に送信される。
移動機器２０は、最新の故障情報を取得するため固定機器１０へ診断指令を出して、最新の故障情報の取得を行なう。得られた故障履歴情報と最新の故障情報は、移動機器２０の表示部２１に表示される。
表示部２１は、故障履歴情報と故障情報とを選択可能に表示することができる。
最新の故障情報の中に、搬送径路に関する故障情報がある場合には、画像取得情報に応じて、指令部２２から画像取得部１３へ画像情報取得指令が出される。
【００１６】
画像情報取得指令は、固定機器１０に設けられているカメラ毎に対応している。ここでは、図４に示すように、カメラ１はラベルプリンタの剥離板部分を監視する位置に、カメラ２はヘッド部分を関しする位置に、カメラ３はニップローラ部分を監視する位置に、夫々設置されている。
画像情報取得指令は、固定機器１０の画像取得部１３に伝達される。画像取得部１３は、画像情報取得指令に応じたカメラを起動して画像情報を取得する。取得された画像情報は、移動機器２０に送信されて画像処理部２３にて表示部２１にて画像表示される。
【００１７】
以上の如く、本発明の双方向通信システムによれば、移動機器と固定機器との通信リンクが確立されることにより、移動機器は、固定機器の故障情報をリアルタイムに取得及び表示することができる。また、画像取得部であるカメラを固定機器の要部に設置し、故障情報に応じて画像取得の要求を付加することにより、故障箇所の画像情報が取得できる。
【００１８】
なお、本発明の実施の形態において、移動機器として腕時計型携帯機器を用いたがこれに限定されることはない。移動機器としては、携帯電話等の体に装着可能な機器であればよい。また、固定機器として画像形成機器（ラベルプリンタ）を用いたがこれに限定されることはない。固定機器としては、故障情報を取得したいあらゆる種類の機器を用いることができる。
また、画像取得部は、固定機器の内部に限定されることはない。必要に応じて固定機器の外部に設け機器周辺の監視手段として利用することができる。
【図面の簡単な説明】
【００１９】
【図１】本発明の実施の形態に係る双方向通信システムの構成図。
【図２】移動機器と固定機器との通信リンク確立状態図。
【図３】移動機器と固定機器との双方向通信フロー図。
【図４】固定機器における画像情報取得位置を示す図。
【符号の説明】
【００２０】
１００  双方向通信システム
１０    固定機器
１１    通知部
１２    カメラ
１３    画像取得部
１４    送信部
２０    移動機器
２１    表示部
２２    指令部
２３    画像処理部
【図１】
2009212548.tif 000003
【図２】
2009212548.tif 000004
【図３】
2009212548.tif 000005
【図４】
2009212548.tif 000006